(57)【要約】【課題】センサ自体で空気の引き込みをして一方向に流す光ダストセンサを用いて、計測時にその光ダストセンサが目立たないようにし、コンパクトな装置であることの有用性を生かし、且つ外観の整った装置を提供する。【解決手段】微小粒子状物質濃度判定機１の判定機ケース２の正面部５に、判定機ケース２に収容した光学式ダストセンサ３の点検口に対応する位置にして開口部１８を設け、この開口部１８を設けた正面部５に、開口部１８を覆う化粧カバー９を着脱可能にして被せ付けた。【選択図】図１
0003200089.tif 000002
【実用新案登録請求の範囲】
【請求項１】
装置後方に配した脚により起立状態にして支持される判定機ケースに、
前記判定機ケースの外方からセンサケースの内部に空気を引き込んで、このセンサケース内の通路を一方向に流れて判定機ケースの外方へ排出される流入空気に含まれる微小粒子状物質を計数して単位体積当たりの計数値に応じた電圧を出力する光学式ダストセンサと、前記光学ダストセンサが出力する出力電圧に基づいて算出される前記流入空気の微小粒子状物質の質量濃度を、判定機ケースの外方に向けて有色の発光をする表示器により段階表示する表示部とが収容されていて、
前記光学式ダストセンサのセンサケースには、流入空気の通路に対応する位置で開口されて点検蓋にて開閉可能に覆われている点検口が設けられ、前記判定機ケースでの起立状態時に立面となる正面部には、前記光学式ダストセンサの前記点検口に対応する位置にして開口部が設けられ、
前記開口部を設けた前記正面部に、前記開口部を覆う化粧カバーが着脱可能に被せ付けられていることを特徴とする微小粒子状物質濃度判定機。
【請求項２】
上記光学式ダストセンサのセンサケースは、上記判定機ケースの起立姿勢時での判定機ケース底部側となる部分に吸い込み口を有するとともに判定機ケース上部側となる部分に排出口を有し、
前記判定機ケースには、前記センサケースの前記吸い込み口の近傍にして判定機ケース吸い込み口が開口され、センサケースの排出口の近傍にして判定機ケース排出口が開口されていて、
上記化粧カバーには、前記判定機ケース吸い込み口に対応する位置にして化粧カバー吸い込み口が開口され、前記判定機ケース排出口に対応する位置にして化粧カバー排出口が開口されている請求項１に記載の微小粒子状物質濃度判定機。
【請求項３】
上記光学ダストセンサが出力する出力電圧に基づいて算出される流入空気の微小粒子状物質の質量濃度が所定質量濃度を超えたときに発音動作する発音器を備えている請求項１または２記載の微小粒子状物質濃度判定機。
【考案の詳細な説明】
【技術分野】
【０００１】
本考案は微小粒子状物質濃度判定機に関するものである。
【背景技術】
【０００２】
従来から空気中の浮遊物質などによる空気の汚れの程度を、検査対象の環境で定量の空気を取り出し、その定量の空気に含まれるその微小粒子状物質の個数を計数して個数表示を行なうようにした装置や、計数値に基づいて微小粒子状物質が単位空間にどの程度存在するかを表すようにした装置などが提供されている。
【０００３】
大気中に含まれる排煙中のススのような炭素などの微小物質や微小粒子状物質を計数するセンサとしては、特許文献１、２に示されているように、センサ内の被検知空間を一方向に流れる空気に発光素子から光を照射し、被検知空間を通過する物質からの散乱光を受光素子（フォトトランジスタ）が受けて、微小物質や微小粒子状物質の個数を計数する光学式ダストセンサがある。そして、この光学式ダストセンサを採用して、微小物質や微小粒子状物質による空気の汚れ度合を簡易的に確認できるコンパクトな装置が求められるようになってきている。
【０００４】
特許文献３と非特許文献１では、空気の汚れの程度を段階表示する装置として上記光学式ダストセンサを用いたコンパクトな大気環境情報報知装置（ハウスダストの指標計）が示されており、光学式ダストセンサにて得られた計数値に基づいてダスト指標を算出し、このダスト指標に応じた指標値レベルの表示を点灯動作するＬＥＤからなる発光器を用いて行なうようにした点が示されている。
【先行技術文献】
【特許文献】
【０００５】
【特許文献１】実開平０４−０３２０６２号公報
【特許文献２】特開平０５−２４０７６８号公報
【特許文献３】特開２０１４−２２８３０９号公報
【非特許文献】
【０００６】
【非特許文献１】株式会社デザインファクトリーホームページ、ハウスダスト指標計、ＵＲＬ（ｈｔｔｐ：／／ｗｗｗ．ｎｅｃｃｈｕ−ｓｈｏ．ｃｏｍ／ｐｒｏｄｕｃｔ／ｈｏｕｓｅｄｕｓｔ．ｈｔｍｌ）
【考案の概要】
【考案が解決しようとする課題】
【０００７】
近年にあっては大気中に浮遊するＰＭ２．５と称される微小粒子状物質が人の健康を害する点が懸念されるようになってきており、そのため地方自治団体や公的機関などではその微小粒子状物質を計測する観測地点を定め、微小粒子状物質の質量濃度を表示する計測専用装置にて継続的に観測が行なわれているが、観測に用いる計測専用装置は高価であるとともに大型の装置となっており、一般家庭などでの使用には不向きである。一方、上述したように光ダストセンサを用いて空気の汚れ度合を簡易的に表示する装置では小型化が図り易く、特許文献３で示されている装置ではその小型化によって一般家庭などでの使用に向いた製品となる。
【０００８】
しかしながら、特許文献３の装置はセンサ内に自然落下する微小物質を計数するため、光ダストセンサのケースの一部を計測時に開放し続けるとともに、光ダストセンサの開放部分を覆う蓋板が存在する場合にはやはり計測時にその光ダストセンサの前記開放部分を覆わないようにしておく必要がある。さらに微小物質や微小粒子状物質が放つ散乱光を検知し易くするために、光ダストセンサのケースは黒色の素材から成形されており、センサの黒い開口やその開口を通した黒いケース内が外部に晒され続ける。そのため、一般家庭での使用ということであっても製品の外観を著しく損なってしまうという問題を有していた。
【０００９】
そこで本考案は上記事情に鑑み、センサ自体で空気の引き込みをして一方向に流す光ダストセンサを用いて、計測時にその光ダストセンサが目立たないようにすることを課題とし、コンパクトな装置であることの有用性を生かし、且つ外観の整った装置を提供することを目的とする。
【課題を解決するための手段】
【００１０】
本考案は上記課題を考慮してなされたもので、装置後方に配した脚により起立状態にして支持される判定機ケースに、
前記判定機ケースの外方からセンサケースの内部に空気を引き込んで、このセンサケース内の通路を一方向に流れて判定機ケースの外方へ排出される流入空気に含まれる微小粒子状物質を計数して単位体積当たりの計数値に応じた電圧を出力する光学式ダストセンサと、前記光学ダストセンサが出力する出力電圧に基づいて算出される前記流入空気の微小粒子状物質の質量濃度を、判定機ケースの外方に向けて有色の発光をする表示器により段階表示する表示部とが収容されていて、
前記光学式ダストセンサのセンサケースには、流入空気の通路に対応する位置で開口されて点検蓋にて開閉可能に覆われている点検口が設けられ、前記判定機ケースでの起立状態時に立面となる正面部には、前記光学式ダストセンサの前記点検口に対応する位置にして開口部が設けられ、
前記開口部を設けた前記正面部に、前記開口部を覆う化粧カバーが着脱可能に被せ付けられていることを特徴とする微小粒子状物質濃度判定機を提供して、上記課題を解消するものである。
【００１１】
そして、本考案にあっては、上記光学式ダストセンサのセンサケースは、上記判定機ケースの起立姿勢時での判定機ケース底部側となる部分に吸い込み口を有するとともに判定機ケース上部側となる部分に排出口を有し、
前記判定機ケースには、前記センサケースの前記吸い込み口の近傍にして判定機ケース吸い込み口が開口され、センサケースの排出口の近傍にして判定機ケース排出口が開口されていて、
上記化粧カバーには、前記判定機ケース吸い込み口に対応する位置にして化粧カバー吸い込み口が開口され、前記判定機ケース排出口に対応する位置にして化粧カバー排出口が開口されていることが良好である。
【００１２】
また、本考案にあっては、上記光学ダストセンサが出力する出力電圧に基づいて算出される流入空気の微小粒子状物質の質量濃度が所定質量濃度を超えたときに発音動作する発音器を備えていることが良好である。
【考案の効果】
【００１３】
本考案によれば、判定機ケースには、光ダストセンサの吸い込み口に対応する位置にして判定機ケース吸い込み口が設けられ、光ダストセンサの排出口に対応する位置にして判定機ケース排出口が設けられ、また、化粧カバーには、この化粧カバーが覆う判定機ケースの判定機ケース吸い込み口に対応する位置にして化粧カバー吸い込み口が設けられ、判定機ケースの判定機ケース排出口に対応する位置にして化粧カバー排出口が設けられている。
【００１４】
これにより、空気は化粧カバー吸い込み口と判定機ケース吸い込み口とを経て光ダストセンサに入って、光ダストセンサから判定機ケース排出口と化粧カバー排出口とを経て外部に流れ出るようになり、微小粒子状物質の濃度判定時に光ダストセンサ自体が外部から目視されないため、判定機の外観を損なうことがないという優れた効果を奏する。
【００１５】
また、光ダストセンサは上述したようにセンサケース内を流入空気が通り抜けるようにしているが、流入空気に含まれる微小物質や微小粒子状物質などがすべてセンサケースの外に排出されるものではなく、光ダストセンサの動作停止時、即ち空気の流れが止まっているときにセンサケースの内面に付着して集積し、その一部分がつぎの空気流動に際してセンサケース内で一時的に拡散する可能性が否定できない。そのため光ダストセンサを内蔵する機器にあっては必要に応じてそのセンサケースの内部を点検する必要がある。
【００１６】
本考案では、光ダストセンサに点検口を有していてその点検口が点検蓋で覆われており、化粧カバーによって前記点検蓋が外部から目視できないように隠されるとともに、その化粧カバーを取り外すことで点検蓋が表われ、その点検蓋を取り外すことで点検口から光ダストセンサの内部の状態を確認できるようになる。そのため、微小粒子状物質濃度判定機を片手持ちなどできる小型の形態にしても簡単な操作で光ダストセンサの内部を確認でき、掃除なども簡単に行なえるという優れた効果を奏するものである。
【図面の簡単な説明】
【００１７】
【図１】本考案に係る微小微粒子状物質濃度判定機の一例を化粧カバーを取り外した斜視状態で示す説明図である。
【図２】一例を一部切り欠いて正面から見た状態で示す説明図である。
【図３】一例を側方から見た状態で示す説明図である。
【図４】一例を後方から見た状態で示す説明図である。
【図５】アタッチメントを示す説明図である。
【考案を実施するための形態】
【００１８】
つぎに本考案を図１から図５に示す実施の形態に基づいて詳細に説明する。図中１は微小粒子状物質濃度判定機で、該判定機１は、図１に示すように判定機ケース２に光学式ダストセンサ３と表示器４とを収容してなるものである。
【００１９】
（判定機ケース）
上記判定機ケース２は、片手持ちできる大きさにして厚板状の形態を呈し、起立姿勢で立面となる正面部５の一方の側辺に沿った領域を前方に突出させてその領域を情報表示領域部６としているケース本体７と、このケース本体７の一方の側面部からケース本体７の上面部を経て他方の側面部にかけ渡されて、ケース本体７の前記上面部に跨るように位置している状態からケース本体７の後方に回動可能にして取り付けられている門型状の脚８と、ケース本体７の前記情報表示領域部６以外の部分の正面部５を覆うように着脱可能にして被せ付けられて前記情報表示領域部６と面一にして並ぶ化粧カバー９とからなるものである。（図２、３参照）
【００２０】
（光学式ダストセンサ）
上記光学式ダストセンサ３は、センサケース１０の内部に形成される通路を一方向に流れる流入空気に向けて発光素子から光を照射し、前記流入空気に含まれる微小粒子状物質が前記光を受けて反射する散乱光を受光素子が捉えることでその微小粒子状物質の個数を計数し、単位時間当たりの計数値に応じて出力電圧が変化するものである。
【００２１】
この実施の例における光学式ダストセンサ３にあってはセンサケース１０の内部に発熱体を配しており、上記脚８を後方に倒してその脚８により支えられて起立姿勢としたときのケース本体７の底部側（判定機ケース底部側）から上部側（判定機ケース上部側）にかけて上昇気流が前記発熱体の発熱によって生じるようにしている。
【００２２】
さらにセンサケース１０は、前記ケース本体７の底部側に吸い込み口１１が開口されているとともにケース本体の上部側に排出口１２が開口していて、前記発熱体の発熱により、前記吸い込み口１１からセンサケース１０の内部に吸い込まれる流入空気がセンサケース１０の通路を排出口１２に向けて一方向に流れてその排出口１２から排出される。（図２参照）
【００２３】
そして、上記通路の一部を微小粒子状物質の散乱光を生じさせる計数位置として設定されており、空気に含まれる微小粒子状物質が前記計数位置を通過するときに放つ散乱光を検知することで計数が行なわれるようにしているものである。
【００２４】
（表示器）
表示器４は、ケース本体５の情報表示領域部６に開口された九個の透孔それぞれに、判定機ケース２の外方に向けて有色の光を放つＬＥＤからなる発光素子１５を位置させてなるものである。そして、前記発光素子１５は、ケース本体５の内部に位置してこの発光素子１５が実装されている基板に設けられている制御装置１４の制御の下で点消灯するように設けられている。
【００２５】
また、上記制御装置１４は、光学式ダストセンサ３による微小粒子状物質の計数値のデータとしての出力電圧を受け取ることができるようにその光学式ダストセンサ３に接続していて、光学式ダストセンサ３から得られた単位時間当たりの計数値のデータ（出力電圧の値）に基づいて算出される前記流入空気の微小粒子状物質の濃度を前記表示器４にて段階表示するようにその表示器４を制御する。
【００２６】
上記制御装置１４において、微小粒子状物質の濃度の判定に応じて表示器４の段階表示は以下のようにして行われるようにしている。本実施例における上記光学式ダストセンサ３は、上述したように微小粒子状物質（ＰＭ２．５）の単位体積当たりの検知に応じて出力電圧が変化するものであって、定量の空気流が生じているという設定の下で、光学式ダストセンサ３の出力電圧に基づいて所要の換算式により微小粒子状物質の質量濃度を換算する。
【００２７】
また、本実施例では上記換算された質量濃度を九段階に段階分けし、上記表示器４が前記段階分けされた各段階で表示内容が互いに異なるように表示するものとされており、微小粒子状物質の質量濃度により、下記表１にて区分けされている事前設定の表示内容で、表示器４が動作するようにしている。なお、表中、表示内容の一文字ずつは、対応する発光色の一個の発光素子の点灯状態を表現する。例えば「緑緑緑黄黄」は一連に並んだ九個の発光素子の内、一端側から並ぶ三個の緑色発光素子が点灯し、その三個の緑色発光素子に並ぶ黄色発光素子の二個が点灯している状態を表現している。
【００２８】
【表１】
0003200089.tif 000003
【００２９】
さらに、制御装置１４にはケース本体７の内部に設けられた図示していない電源装置が接続されており、制御装置１４が表示器４への給電を制御し、上記発熱体への給電も制御する。なお、電源装置自体の構成は特に限定されるものではなく、例えば、乾電池を組み入れる構成としたり、外部電源からの給電を受けて充電を行なう蓄電池を備える構成であってもよい。
【００３０】
（センサケースの点検蓋）
上記光学式ダストセンサ３のセンサケース１０には点検口１６が流入空気の通路に対応する位置にして開口されており、この点検口１６が点検蓋１７で開閉可能に覆われている。このように光学式ダストセンサ３は点検口１６を有して点検蓋１７で開閉可能に覆われているので、必要に応じて点検蓋１７を取り外して点検口１６からセンサケース１０の内部を確認したり掃除をすることができる。
【００３１】
（ケース本体の正面部）
光学式ダストセンサ３の上記点検口１６が位置する側がケース本体７の正面部５に対応している。そして前記正面部５には点検口１６に対応する位置にして開口部１８が設けられており、開口部１８自体は前記点検口１６が表出して点検蓋１７の開け閉めに干渉しない大きさに設定されている。さらに開口部１８が位置する正面部５には上述したように化粧カバー９が着脱可能に被せ付けられることから、この化粧カバー９をケース本体７に取り付けたときには開口部１８及び点検蓋１７、点検口１６は外部から目視することができず、また化粧カバー９を取り外すことで点検蓋１７の取り外しが可能となり、点検口１６を開放することができる。
【００３２】
（吸い込み口、排出口）
上記ケース本体７には判定機ケース２の下部側であって、センサケース１０の吸い込み口１１の近傍にして判定機ケース吸い込み口１９を開口している。また、判定機ケース２の上部側であって、センサケース１０の排出口１２の近傍にして判定機ケース排出口２０を開口している。さらに、上記化粧カバー９には前記判定機ケース吸い込み１９口に対応する位置にして化粧カバー吸い込み口２１が開口され、判定機ケース排出口２０に対応する位置にして化粧カバー排出口２２が開口されている。
【００３３】
また、図４は微小粒子状物質濃度判定機１を後方から見た状態を示していて、ケース本体７の背面部２５にも、外部の空気が上記センサケース１０の内部に引き込まれるように、そしてセンサケース１０からの空気がこの微粒子状物質判定機１の外部へと送り出されるようにした開口が設けられている。図４に示されているように背面部２５においては、判定機ケース２の下部側であって、上記センサケース１０の吸い込み口１１の近傍となる位置にして判定機ケース背面吸い込み口２６を開口し、判定機ケース２の上部側であって、センサケース１０の排出口１２の近傍となる位置にして判定機ケース背面排出口２７を開口している。
【００３４】
このように本実施の例の微小粒子状物質濃度判定機１では、化粧カバー吸い込み口２１が判定機ケース吸い込み口１９に対応する位置にあるとともに、化粧カバー排出口２２が判定機ケース排出口２０に対応する位置にある。また正面側である前記判定機ケース吸い込み口１９と背面側である判定機ケース背面吸い込み口２６とがケース本体７の内側にある光ダストセンサ３の吸い込み口１１に近接する位置にあり、正面側である前記判定機ケース排出口２０と背面側である判定機ケース背面排出口２７とが光ダストセンサ３の排出口１２に近接する位置にある。
【００３５】
これによって光ダストセンサ３のセンサケース１０の内部で上昇気流が生じることで、微小粒子状物質濃度判定機１の外部の空気が、化粧カバー吸い込み口２１と判定機ケース吸い込み口１９を経てセンサケース１０の吸い込み口１１に達し、また上記判定機ケース背面吸い込み口２６を経て前記吸い込み口１１に達して、その吸い込み口１１を通ってセンサケース１０の内部に引き込まれることとなる。
【００３６】
さらに引き込まれた流入空気が、センサケース１０の排出口１２と判定機ケース排出口２０と化粧カバー排出口２２を経て、またセンサケース１０の排出口１２と判定機ケース背面排出口２７を経て微小粒子状物質濃度判定機１の外部に送り出されることとなり、センサケース１０における空気の引き込みを行なう吸い込み口１１を外部に露出させずに光ダストセンサ３が動作し、濃度判定の動作を継続している状態でもこの微小粒子状物質濃度判定機１の外観が損なわれることがない。
【００３７】
微小粒子状物質濃度判定機１は、上記表示器４における発光素子１５の発光個数によって微小粒子状物質の質量濃度を段階的に表すとともに、発光色によって注意喚起を促すようにしている。これに加えて微小粒子状物質濃度判定機１においては、音によっても注意喚起が行なえるように設けられている。
【００３８】
具体的には上記制御装置１４で発音動作が制御される発音器２３が、図２に示すようにケース本体７の内部に配されていて、上述のようにして判定される微小粒子状物質の質量濃度が３５μｇ／ｍ３ 及び７０μｇ／ｍ３を超えると発音器２３から判定機ケース２を通して聞こえる音量のブザー音が鳴るようにしている。
【００３９】
例えば、質量濃度が３５μｇ／ｍ３を超えたときには、ピッ、ピッ、ピッとブザー音が間欠的に約１０秒間鳴り、質量濃度が７０μｇ／ｍ３ を超えたときには、ピピッ、ピピッ、ピピッとブザー音が間欠的に約１０秒間鳴るようにしている。なお、図３に示すように判定機ケース２の側面にはスライドスイッチとして発音器２３の動作をｏｎ、ｏｆｆするブザースイッチ２４が設けられており、微小粒子状物質濃度判定機１を使用する時間、場所、環境などに応じてこのブザースイッチ２４をｏｆｆとすることで、微小粒子状物質の質量濃度がブザー音を発呼させる設定の段階になったとしても鳴らないようにすることができる。
【００４０】
図５は微小粒子状物質濃度判定機１を棒状体ａなどに取り付けて上記脚の使用時と同様に起立状態で使用するための設置補助具２８を示しており、片面に上下対にして係止ボス２９を突設させたアタッチメント３０とこのアタッチメント３０に通して棒状体などに巻き付けることのできる面ファスナ３１とからなるものである。一方、上記ケース本体７の背面部２５には、前記アタッチメント３０の係止ボス２９が係脱可能に係止する係止孔３２が開口されている。
【００４１】
設置補助具２８を棒状体ａに取り付けるとともに、その設置補助具２８のアタッチメント３０と背面部２５とを、上記係止ボス２９への係止孔２９の掛け止めを利用して連結させることで、微小粒子状物質濃度判定機１を棒状体ａに取付固定できる。このようにすることにより微小粒子状物質濃度判定機１を設置できる場所が拡大されるという効果がある。
【符号の説明】
【００４２】
１…微小粒子状物質濃度判定機
２…判定機ケース
３…光学式ダストセンサ
４…表示器
５…正面部
６…情報表示領域部
７…ケース本体
９…化粧カバー
１０…センサケース
１１…吸い込み口
１２…排出口
１５…発光素子
１６…点検口
１７…点検蓋
１８…開口部
１９…判定機ケース吸い込み口
２０…判定機ケース排出口
２１…化粧カバー吸い込み口
２２…化粧カバー排出口
２３…発音器
２５…背面部
２６…判定機ケース背面吸い込み口
２７…判定機ケース背面排出口
【図１】
0003200089.tif 000004
【図２】
0003200089.tif 000005
【図３】
0003200089.tif 000006
【図４】
0003200089.tif 000007
【図５】
0003200089.tif 000008